【手続補正書】
【提出日】平成16年4月5日(2004.4.5)
【手続補正１】
【補正対象書類名】明細書
【補正対象項目名】全文
【補正方法】変更
【補正の内容】
【発明の名称】電解水生成装置
【特許請求の範囲】
【請求項１】タンクから電解補助液をポンプによって圧送して水道水に該電解補助液を流量調整弁を介して適量添加すると共に、直流電源装置から直流電圧が印加された電解槽に該水道水を通水させ電気分解する電解水生成装置において、電流計により該電解槽に流れる電流を測定し、該電流が所定値となるように前記流量調整弁を操作して電解補助液の添加量を調整するようにしたことを特徴とする電解水生成装置。
【請求項２】直流電源装置の正負を切換える手動スイッチを設けた請求項１に記載の電解水生成装置。
【発明の詳細な説明】
【０００１】
【発明の属する技術分野】
本発明は、電気分解によって水道水から電解水を生成する装置に関する。
【０００２】
【従来の技術】
電解水とは、一般の水道からの水道水等を電気分解によってｐＨ２．７程度の酸性にしたもので、従来から医療現場や厨房等における殺菌の用途において注目されている。
従来における電解水生成装置は、流入部と２つの流出部を有し内部に一対のプラスとマイナスの電極板が配設された電解槽から形成されている。そして、流入部から流入した水道水を該電解槽中に流すことにより電極板によって電気分解し、一方の流出部から電解酸性水を流出させ、他方の流出部から電解アルカリ性水を流出させるよう構成している。なお、電解槽に流入させるに先立ち、水道水にタンクからＮａＣｌ溶液等の電解補助液を適量添加することにより電気分解を可能としている。
【０００３】
【発明が解決しようとする課題】
ところで、上記電解補助液の添加量は、水質や水量、或いは目的とする電解水の酸性度に応じて増減させるのが適当であるにも拘らず、従来の電解水生成装置では常に一定の割合で電解補助液を添加していたので、添加量として適切でない状況で生成が行なわれていることがあった。
【０００４】
そこで本発明は、電解補助液の添加量を調整し常に所望の電気分解がなされるようにするものである。
【０００５】
【課題を解決するための手段】
そのために本発明の電解水生成装置は、タンクから電解補助液をポンプによって圧送して水道水に該電解補助液を流量調整弁を介して適量添加すると共に、直流電源装置から直流電圧が印加された電解槽に該水道水を通水させ電気分解する電解水生成装置において、電流計により該電解槽に流れる電流を測定し、該電流が所定値となるように前記流量調整弁を操作して電解補助液の添加量を調整するようにしたことを特徴とする。
また本発明は上記電解水生成装置において、直流電源装置の正負を切換える手動スイッチを設けたことを特徴とする。
【０００６】
【発明の実施の形態】
次に図面に従い本発明の実施の形態を説明する。図１にこの電解水生成装置の通水系路図を示し、図中１は電解補助液（ＮａＣｌの２０％溶液）が貯留されたプラスチック製のタンク、２は該タンク１から給液管３に電解補助液を圧送するポンプ、４は該給液管３よりタンク１への電解補助液の戻管路、５は該給液管３に設けられた点滴部、６は該点滴部５の二次側に設けられたニードル弁からなる流量調整弁である。
【０００７】
７は水道水の蛇口に連なるホースの接続口、８は該接続口７と連なる給水管９に設けられた定流量弁である。給液管３と給水管９とはＴ字形管部１０にて合流する。そしてその二次側に電磁弁１１が設けられている。また電磁弁１１の二次側に二股状の分岐管１２が接続され、該分岐管１２の分岐部が電解槽１３の流入口１２ａ，１２ｂに接続されている。
【０００８】
電解槽１３は図２，図３に示したように、槽内が通水性の隔膜１４により２つの室１５ａ，１５ｂに区画され、各室に夫々金網状の電極板１６ａ，１６ｂが配置されると共に、該室１５ａ，１５ｂに夫々傾斜板状の邪魔板１７，１７…を設けることにより蛇行状の流路１８ａ，１８ｂを形成してなる。そして流入口１２ａ，１２ｂを室１５ａ，１５ｂの下部で流路１８ａ，１８ｂの一端に連通させると共に、その上部に設けられた流出口１９ａ，１９ｂに吐水バルブ２０ａ，２０ｂを接続している。
【０００９】
そして電極板１６ａ，１６ｂに直流電源装置２４の出力端子を電流計２２および正負切換用の手動スイッチ２３を介在させて前記電極板１６ａ，１６ｂに接続している。
【００１０】
この電解水生成装置では、ポンプ２を作動させると共に、電磁弁１１を開くことにより電解補助液が添加された水道水が電解槽１３に供給される。そして電極板１６ａ，１６ｂ間に直流電圧（１２ボルト）を印加することにより、プラス側の電極の水は電解酸性水となり、マイナス側の電極の水は電解アルカリ性水となり、これを夫々吐水バルブ２０ａ，２０ｂを開くことにより吐出させることができる。
【００１１】
図４は、この装置により生成された電解水の塩素濃度と、そのときに前記電流計２２が示す電流値との関係をグラフに示したもので、電流値が高く電気分解が活発に行なわれることにより、その電解水の塩素濃度、即ち殺菌作用は強くなることが判る。
【００１２】
そこで本発明では、電解水の用途に応じた目標とする適度な塩素濃度が得られるように、このグラフから目標電流値を設定し、電流計２２が示す電流値が常にその目標電流値となるように前記流量調整弁６の開度を調整し、電解補助液の添加量を調整できるようにしたものである。即ち、電解補助液の添加量を増すと電流計２２が示す電流値は増大し、電気分解作用が活発化するため、そのとき生成された電解水の塩素濃度が増し、その反対に電解補助液の添加量を減らすと、電解水の塩素濃度は減少する。このため電流計２２を監視しつつ流量調整弁６を操作することで、所望の殺菌能力を有した電解水を生成することができる。なお、点滴部５によりその添加状況を目視できる。
【００１３】
なお手動スイッチ２３を操作し電極板１６ａ，１６ｂに印加されている直流電圧のプラス・マイナスを入れ替えることで、電解作用中にマイナス側の電極板に析出するカルシウムを溶解させることができる。このため定期的にこの手動スイッチ２３を操作し、正負を切換えることで、長時間にわたり所期の電気分解作用を継続できる。
【００１４】
【発明の効果】
このように本発明では、電解補助液の添加量を電解槽の直流電流の電流値により調整することにより、用途に即した常に適切な濃度の電解水を容易に生成できるようになり、装置の使い勝手を大幅に向上させる有益な効果がある。
【図面の簡単な説明】
【図１】本発明に係る電解水生成装置の実施の形態を示す通水系統図。
【図２】本発明に係る電解水生成装置の実施の形態を示す電解槽の部分断面斜視図。
【図３】図２のＡ−Ａ線断面図。
【図４】本発明に係る電解水生成装置により生成された電解水の塩度濃度とその電解槽の電流値との関係を示したグラフ。
【符号の説明】
１              タンク
２              ポンプ
３              給液管
４              戻管路
５              点滴部
６              流量調整弁
７              接続口
８              定流量弁
９              給水管
１０            Ｔ字形管部
１１            電磁弁
１３            電解槽
１６ａ，１６ｂ  電極板
２２            電流計
２３            手動スイッチ
２４            直流電源装置